(57)【要約】【課題】局部洗浄ノズルの周囲を効率的かつ確実に除菌することができる局部洗浄装置を提供する。【解決手段】局部洗浄装置１０は、便器本体１の上面に載置されるケース本体２０と、ケース本体２０に収納される局部洗浄ノズル３０とを備えている。また、ケース本体２０の内部に収納され、プラスイオン及びマイナスイオンを放出するイオン発生装置４０を備えている。イオン発生装置４０は、送風機４１と、送風機４１に一端が接続されたダクト４２と、ダクト４２の中間部に介在するイオン発生器４３とを有し、ダクト４２の他端が局部洗浄ノズル３０に向けて開口している。【選択図】図１
2008190293.tif 000002
【特許請求の範囲】
【請求項１】
便器本体の上面に載置されるケース本体と、該ケース本体に収納される局部洗浄ノズルとを備えた局部洗浄装置であって、
前記ケース本体の内部に収納され、プラスイオン及びマイナスイオンを放出するイオン発生装置を備え、
該イオン発生装置は、送風機と、該送風機に一端が接続されたダクトと、該ダクトの中間部に介在するイオン発生器とを有し、該ダクトの他端が前記局部洗浄ノズルに向けて開口していることを特徴とする局部洗浄装置。
【請求項２】
前記ケース本体には、設置されるトイレ室内に向けて開口する開口部が形成され、前記イオン発生器の下流側の前記ダクトには該開口部に連通する分岐ダクトが分岐されている請求項１記載の局部洗浄装置。
【請求項３】
前記イオン発生装置は、前記送風機からの送風を前記局部洗浄ノズル又は前記開口部に導く切換手段を有している請求項２記載の局部洗浄装置。
【発明の詳細な説明】
【技術分野】
【０００１】
本発明は局部洗浄装置に関する。
【背景技術】
【０００２】
特許文献１の図２に従来の局部洗浄装置が開示されている。この局部洗浄装置は、便器本体の上面に載置されるケース本体と、ケース本体に収納される局部洗浄ノズルとを備えている。また、この局部洗浄装置は、ケース本体の内部に収納され、オゾンを放出するオゾン発生部を備えている。オゾン発生部は、ファンと、ファンに一端が接続された脱臭ダクトと、脱臭ダクトの中間部に介在するオゾナイザとを有している。脱臭ダクトの他端は便器本体の便鉢に開口している。
【０００３】
このような構成である従来の局部洗浄装置は、ファンの回転方向を切り替えることにより、オゾンを脱臭ダクトから便鉢に向けて吹出す殺菌作業と、便鉢内の臭気を脱臭ダクトを通して吸引してオゾンと混合する脱臭作業とを行なうことができる。
【０００４】
【特許文献１】特開平５−２２２７５５号公報
【発明の開示】
【発明が解決しようとする課題】
【０００５】
しかし、上記従来の局部洗浄装置では、便鉢の上縁よりも高い位置に格納されている局部洗浄ノズルの周囲を除菌するためには、オゾンが便鉢内に充分に拡散されなければならない。一方、オゾンの人体への影響を考えると、大量のオゾンを放出するわけにはいかないため、局部洗浄ノズルの表面を殺菌することは現実には困難である。
【０００６】
本発明は、上記従来の実情に鑑みてなされたものであって、局部洗浄ノズルの周囲を効率的かつ確実に除菌することができる局部洗浄装置を提供することを解決すべき課題としている。
【課題を解決するための手段】
【０００７】
本発明の局部洗浄装置は、便器本体の上面に載置されるケース本体と、該ケース本体に収納される局部洗浄ノズルとを備えた局部洗浄装置であって、
前記ケース本体の内部に収納され、プラスイオン及びマイナスイオンを放出するイオン発生装置を備え、
該イオン発生装置は、送風機と、該送風機に一端が接続されたダクトと、該ダクトの中間部に介在するイオン発生器とを有し、該ダクトの他端が前記局部洗浄ノズルに向けて開口していることを特徴とする。
【０００８】
このような構成である本発明の局部洗浄装置では、カビ等の細菌を除去可能なプラスイオン及びマイナスイオンを直接、局部洗浄ノズルへ向けて放出することとなる。このため、局部洗浄ノズルの周囲にプラスイオン及びマイナスイオンを大量に供給することができる。
【０００９】
したがって、本発明の局部洗浄装置は、局部洗浄ノズルの周囲を効率的かつ確実に除菌することができる。
【００１０】
イオン発生装置は、プラスイオン及びマイナスイオンにより局部洗浄ノズルの除菌が完了される時間を予測し、イオン発生装置の駆動を開始した後、その時間が経過すると駆動を停止するようにしても良い。このようにすれば、無駄にイオン発生装置を駆動しなくて済むため、省エネルギー化を図ることができる。
【００１１】
本発明の局部洗浄装置において、ケース本体には、設置されるトイレ室内に向けて開口する開口部が形成され、イオン発生器の下流側のダクトには開口部に連通する分岐ダクトが分岐されていることが好ましい。
【００１２】
この場合、局部洗浄装置が設置されたトイレ室内にプラスイオン及びマイナスイオンを放出することとなる。この結果、トイレ室内に浮遊する細菌も除去することができる。
【００１３】
本発明の局部洗浄装置において、イオン発生装置は、送風機からの送風を局部洗浄ノズル又は開口部に導く切換手段を有していることが好ましい。
【００１４】
この場合、プラスイオン及びマイナスイオンの放出を必要に応じて局部洗浄ノズル側及びトイレ室内側のどちらか一方又は両方に供給することができる。このようにすれば、より効率的に局部洗浄ノズル等を除菌することができる。
【００１５】
切換手段は、局部洗浄装置に取り付けられた便座に使用者が着座している場合、プラスイオン及びマイナスイオンを開口部に導くように切り替えられるようにしても良い。
【００１６】
このようにすれば、プラスイオン及びマイナスイオンを搬送する空気が、局部洗浄ノズルを経由して便座に着座した使用者の臀部等に当ることがなくなる。このため、使用者は快適に便器本体を使用することができる。その際、プラスイオン及びマイナスイオンは、トイレ室内に大量に供給することとなり、トイレ室内に浮遊する細菌をより効果的に除菌することができる。
【発明を実施するための最良の形態】
【００１７】
以下、本発明を具体化した実施例を図面を参照しつつ説明する。
【００１８】
図１及び図２に示すように、実施例の局部洗浄装置１０は、便器本体１の上面に載置されるケース本体２０と、ケース本体２０に収納される局部洗浄ノズル３０とを備えている。局部洗浄ノズル３０はおしり洗浄用のノズル及びビデ洗浄用のノズルの２本を有している。ケース本体２０は、回動可能に軸支された便座２１を有している。
【００１９】
ケース本体２０の内部にはプラスイオン及びマイナスイオンを放出するイオン発生装置４０が備えられている。イオン発生装置４０は、送風機４１と、送風機４１に一端が接続されたダクト４２と、ダクト４２の中間部に介在するイオン発生器４３とを有している。ダクト４２の他端には、局部洗浄ノズル３０に向けて開口する吹出し口４４が形成されている。
【００２０】
ケース本体２０には、設置されるトイレ室内に向けて開口する開口部５０が形成されている。イオン発生器４３の下流側のダクト４２には開口部５０に連通する分岐ダクト６０が分岐されている。この分岐部分には、送風機４１からの送風を吹出し口４４又は開口部５０に導く切換弁４６が設けられている。切換弁４６は、図示しないモータ及び制御器により回動可能に制御されている。切換手段は、切換弁４６、モータ及び制御器から構成されている。
【００２１】
この局部洗浄装置１０は、図示しないが、この局部洗浄装置１０に接近又は離反する使用者を検知する人体検知センサ及び便座２１の着座の有無を検知する着座検知センサを有している。
【００２２】
人体検知センサが使用者の局部洗浄装置１０への接近を検知すると、イオン発生装置４０及び送風機４１が駆動を開始する。その際、切換弁４６は、吹出し口４４及び開口部５０の両方にプラスイオン及びマイナスイオンを導くように中間位置４６ｍに位置している。
【００２３】
次に、着座検知センサが使用者の便座２１への着座を検知すると、切換弁４６は、ダクト４２を閉鎖する位置４６ａに移動し、プラスイオン及びマイナスイオンは開口部５０のみに導入され、トイレ室内に放出される。
【００２４】
その後、使用者が局部洗浄装置１０から離反するのを人体検知センサが検知すると、切換弁４６は、分岐ダクト６０を閉鎖する位置４６ｂに移動し、プラスイオン及びマイナスイオンは吹出し口４４のみに導入され、局部洗浄ノズル３０に向けて放出される。その後、特定の時間が経過すると、切換弁４６は、中間位置４６ｍに移動し、イオン発生装置４０及び送風機４１は駆動を停止する。
【００２５】
また、人体検知センサが使用者を検知しなくても、切換弁４６が中間位置４６ｍに位置した状態で、イオン発生装置４０及び送風機４１は間欠的に駆動される。
【００２６】
このような構成である実施例の局部洗浄装置１０では、カビ等の細菌を除去可能なプラスイオン及びマイナスイオンを直接、局部洗浄ノズル３０へ向けて放出することとなる。このため、局部洗浄ノズル３０の周囲にプラスイオン及びマイナスイオンを大量に供給することができる。
【００２７】
したがって、実施例の局部洗浄装置１０は、局部洗浄ノズル３０の周囲を効率的かつ確実に除菌することができる。
【００２８】
また、プラスイオン及びマイナスイオンを局部洗浄ノズル３０に向けて放出した後、特定の時間が経過すると、イオン発生装置４０及び送風機４１は停止する。このため、省エネルギー化を図ることができる。
【００２９】
また、ケース本体２０に設けられた開口部５０からトイレ室内に向けてプラスイオン及びマイナスイオンを放出するため、トイレ室内に浮遊する細菌も除去することができる。
【００３０】
また、切換弁４６等からなる切換手段により、プラスイオン及びマイナスイオンを局部洗浄ノズル３０側及びトイレ室内側のどちらか一方又は両方に供給するようにしているため、効率的に局部洗浄ノズル３０等を除菌することができる。
【００３１】
また、プラスイオン及びマイナスイオンを搬送する空気が便座２１に着座した使用者の臀部等に当ることがないため、使用者は快適に便器本体１を使用することができる。その際には、トイレ室内にプラスイオン及びマイナスイオンを大量に供給することとなり、トイレ室内に浮遊する細菌をより効果的に除去することができる。
【産業上の利用可能性】
【００３２】
本発明は便器本体に組み付けられる局部洗浄装置に利用可能である。
【図面の簡単な説明】
【００３３】
【図１】実施例の局部洗浄装置の一部を切り欠いた平面図である。
【図２】実施例の局部洗浄装置の一部を切り欠いた正面図である。
【符号の説明】
【００３４】
１…便器本体
１０…局部洗浄装置
２０…ケース本体
３０…局部洗浄ノズル
４０…イオン発生装置
４１…送風機
４２…ダクト
４３…イオン発生器
４６…切換弁
５０…開口部
６０…分岐ダクト
【図１】
2008190293.tif 000003
【図２】
2008190293.tif 000004